(57)【要約】【課題】スピーカを用いたハンディターミナルで、少なくともビープ音で十分な音量を得る。【解決手段】ハンディターミナルは、制御ボードと、筐体と、スピーカと、第一クッション材と、を備える。筐体は、一面の少なくとも一部に開口部を有し制御ボードを収納する本体部および該本体部に着脱自在に取り付けられて開口部を塞ぐ蓋部を備える。スピーカは、制御ボードに固定され制御部からの制御信号によって少なくともビープ音を発する。第一クッション材は、スピーカに固定されて、蓋部が開口部を塞ぐ位置にあるときスピーカと蓋部との間に介在する。【選択図】図１
2014167682.tif 000002
【特許請求の範囲】
【請求項１】
制御ボードと、
一面の少なくとも一部に開口部を有し前記制御ボードを収納する本体部および該本体部に着脱自在に取り付けられて前記開口部を塞ぐ蓋部を備える筐体と、
前記制御ボードに固定され制御部からの制御信号によって少なくともビープ音を発するスピーカと、
前記スピーカに固定されて、前記蓋部が前記開口部を塞ぐ位置にあるとき前記スピーカと前記蓋部との間に介在する第一クッション材と、
を備えるハンディターミナル。
【請求項２】
前記スピーカと前記制御ボードとの間に介在し、前記第一クッション材よりも低硬度の第二クッション材をさらに備える
請求項１に記載のハンディターミナル。
【請求項３】
前記第一クッション材は、リング形状である
請求項１または２に記載のハンディターミナル。
【請求項４】
前記制御ボードは、前記スピーカを固定する位置および向きを案内する印を備えている
請求項１〜３のいずれかに記載のハンディターミナル。
【請求項５】
前記制御ボードは、少なくとも制御部を構成する１または複数の部品を実装し、
前記制御部は、前記スピーカに、前記ビープ音として、共振周波数に近い複数の周波数の音を交互もしくは順番に鳴らさせる
請求項１〜４のいずれかに記載のハンディターミナル。
【請求項６】
前記制御ボードは、少なくとも制御部を構成する１または複数の部品を実装し、
前記蓋部は、前記スピーカの放音孔に対応する孔を有し、
前記孔からの水気の入り込みを防止する防水材をさらに備え、
前記制御部は、前記スピーカに、前記ビープ音として、前記防水材を共振させる周波数の音を鳴らさせる
請求項１〜４のいずれかに記載のハンディターミナル。
【発明の詳細な説明】
【技術分野】
【０００１】
本発明の実施形態は、ハンディターミナルに関する。
【背景技術】
【０００２】
ハンディターミナルは、従来、例えば飲食店等で、店員が、客のテーブル近くで、注文内容を入力する等の用途に用いられている。このようなハンディターミナルの多くは、スピーカを備えている。スピーカは、エラー等を操作者に知らせるビープ音や、各種操作に付随した短いメロディ等を発するのに用いられる。
【発明の概要】
【発明が解決しようとする課題】
【０００３】
ハンディターミナルは、上述のように、例えば飲食店等の騒々しい環境で使用される。このため、エラーを知らせるビープ音は、音量が大きいことが望まれる。しかしながら、ハンディターミナルは、携帯して使用されるので、大きさ、厚さ、重さ等が制限される。よって、スピーカの大きさや位置も制限される。
しかも、ハンディターミナルのスピーカは、ビープ音とメロディとで共用である。ビープ音専用であれば、音量を大きくするために共振を利用しやすいが、メロディ用には、共振を避けて設計するのが一般的である。
また、ハンディターミナルは、故障への対応は買い替えが多数である携帯電話等の他の携帯端末機器と比較して高価であるので、メンテナンス性を要求される。
【課題を解決するための手段】
【０００４】
実施形態のハンディターミナルは、制御ボードと、筐体と、スピーカと、第一クッション材と、を備える。筐体は、一面の少なくとも一部に開口部を有し制御ボードを収納する本体部および該本体部に着脱自在に取り付けられて開口部を塞ぐ蓋部を備える。スピーカは、制御ボードに固定され制御部からの制御信号によって少なくともビープ音を発する。第一クッション材は、スピーカに固定されて、蓋部が開口部を塞ぐ位置にあるときスピーカと蓋部との間に介在する。
【図面の簡単な説明】
【０００５】
【図１】図１は、実施形態のハンディターミナルの外観を概略的に示す斜視図である。
【図２】図２は、実施形態における筐体を背面側から見た平面図である。
【図３】図３は、実施形態における筐体を厚さ方向に二分割して内部を露出した状態を示す平面図である。
【図４】図４は、実施形態における制御ボードへのスピーカの取り付け状態を示す断面図である。
【図５】図５は、実施形態におけるスピーカ取付ガイドが印刷された制御ボードの模式図である。
【図６】図６は、実施形態におけるスピーカ取付ガイドが印刷された制御ボードの模式図である。
【図７】図７は、実施形態におけるハンディターミナルの電気的接続を示すブロック図である。
【図８】図８は、実施形態におけるスピーカの放音特性および実験値を例示するグラフである。
【発明を実施するための形態】
【０００６】
図面を用いて、実施形態を説明する。図１は、実施形態のハンディターミナル１の外観を概略的に示す斜視図である。ハンディターミナル１は、筐体１１、表示操作パネル１２、カバー１３、操作パネル１４、および制御ボード１５（図３参照）を備えている。
【０００７】
筐体１１は、携帯して操作可能な大きさの略直方体の薄型の容器である。筐体１１の正面には、表示操作パネル１２が嵌め込まれている。また、筐体１１の一辺には、ヒンジ１１ａでカバー１３が連結されている。カバー１３は、表示操作パネル１２を覆う位置と露出する位置との間で筐体１１に対して回動自在である。
【０００８】
表示操作パネル１２は、液晶パネルにタッチパネルを積層し、さらに一部にキーシート１２ａを貼り付けたものである。表示操作パネル１２は、画像の表示および画像に応じた操作を受け付ける。
操作パネル１４は、カバー１３の内側の面、すなわち、カバー１３が表示操作パネル１２を覆う位置にあるときに表示操作パネル１２に対向する面に設けられている。操作パネル１４は、複数の操作ボタンが縦横に配されたもので、各操作ボタンに動作が割り当ててある。各操作ボタンは、操作者による操作を受け付ける。
【０００９】
図２は、筐体１１を背面側から見た平面図である。図３は、筐体１１を厚さ方向に二分割して内部を露出した状態を示す平面図である。
【００１０】
制御ボード１５は、筐体１１に収納されている。筐体１１は、厚さ方向に二分割可能に構成されている。以下、筐体１１を分割した正面側（表示操作パネル１２が嵌め込まれている方）を本体部１１１、背面側を蓋部１１２と称する。
【００１１】
本体部１１１は、一面に開口部１１ｂを有し、底部（表示操作パネル１２の背面側）に制御ボード１５を保持している。蓋部１１２は、本体部１１１に対してネジ止め等により着脱自在に取り付けられて、開口部１１ｂを開閉可能に塞ぐ。開口部１１ｂは、メンテナンス等に際して、蓋部１１２が取り外されたときに、制御ボード１５を露出させる。
【００１２】
制御ボード１５には、制御部１５１（図７参照）を構成する１または複数の部品（不図示）が実装されている。また、制御ボード１５には、スピーカ１６が実装される。
本実施形態のハンディターミナル１が備えるスピーカ１６は、少なくとも、エラー等を操作者に知らせるビープ音や、各種操作に付随した短いメロディ等を発するのに用いられる。
【００１３】
ここで、他の携帯端末でメロディの機能が不要のものは、スピーカでなくブザーを採用し、十分な音量のビープ音を得ている。しかしながら、ハンディターミナル１は、メロディの機能が必要である都合上、ブザーでなくスピーカ１６を採用しているので、ビープ音の音量を十分にするために、共振を利用したい。
またここで、他の携帯端末でスピーカを採用し共振により十分な音量を得ているものは、上記蓋部１１２相当のドアカバー等にスピーカを取り付けて共振を得ている。しかしながら、ドアカバーにスピーカを固定する構成であると、メンテナンスに際してドアカバーを取り外したときに、ドアカバーに固定されたスピーカと制御ボードとをつなぐハーネスが断線する等の不都合が起こりやすいので、この点で好ましくない。そこで、本実施形態では、スピーカ１６を蓋部１１２にではなく制御ボード１５に取り付け、後述する別の手法で共振を得るようにした。
【００１４】
制御ボード１５とスピーカ１６との通電は、スピーカ１６のハーネス（不図示）を制御ボード１５に半田付け等により接合して行う。図４は、制御ボード１５へのスピーカ１６の取り付け状態を示す断面図である。
【００１５】
制御ボード１５上には、両面テープ２１、下クッションゴム２２、スピーカ１６、上クッションゴム２３、防水シート２４、両面テープ２５、蓋部１１２、の順に積層される。上クッションゴム２３および下クッションゴム２２は、第一クッション材および第二クッション材の一例である。
また、上クッションゴム２３は、リング形状である。上クッションゴム２３および下クッションゴム２２には、内径、外径、厚さ等の寸法および硬度が、共振を得るに最適な値のものが選択される。
【００１６】
スピーカ１６は、上クッションゴム２３と下クッションゴム２２との間に挟まれている。
両面テープ２１は、円盤形状で、制御ボード１５と下クッションゴム２２とを接着する。両面テープ２５は、中央が円く明いたリング形状で、防水シート２４と蓋部１１２とを接着する。蓋部１１２を開放したときには、蓋部１１２に、両面テープ２５と防水シート２４が付随し、他の部材は制御ボード１５上に残る。
スピーカ１６は、音を放つ孔である放音孔１６ａが設けられている。蓋部１１２には、スピーカ１６の放音孔１６ａに対応する孔１６ｂが設けられている。防水シート２４は、孔１６ｂからの筐体１１内への水気の浸入を抑える。
【００１７】
スピーカ１６の表面から蓋部１１２の表面までの空間である前方空間Ｓの容積は、スピーカ１６の音量が大きくなる最適値に設定する。前方空間Ｓの容積は、上クッションゴム２３の内径と厚さとで調節する。
【００１８】
上クッションゴム２３および下クッションゴム２２は、他の部材の厚さの寸法誤差を吸収するとともに、スピーカ１６に密着してスピーカ１６を保持する。しかし、その際に、上クッションゴム２３が、他の部材の寸法誤差によりつぶれすぎると、前方空間Ｓの容積が意図した値からずれて、スピーカ１６の音量が低下するおそれがある。
この不都合を抑止するために、好ましくは、下クッションゴム２２として、上クッションゴム２３よりも低硬度のものを用いる。下クッションゴム２２が上クッションゴム２３よりも柔らかければ、蓋部１１２から圧力を受けたとき、上クッションゴム２３よりも下クッションゴム２２が変形しやすい。よって、上クッションゴム２３の過度の変形が抑止される。
【００１９】
図５および図６は、スピーカ取付ガイド３１および３２が印刷された制御ボード１５の模式図である。スピーカ取付ガイド３１，３２は、制御ボード１５へのスピーカ１６の取り付け位置および取り付け角度を示す印である。
制御ボード１５には、図５（または図６）に例示するように、スピーカ取付ガイド３１（または３２）がシルクスクリーン印刷等により印されている。
【００２０】
図５に示すスピーカ取付ガイド３１は、小円３１ａと、この小円３１ａの外周を囲む大円３１ｂとを備える。小円３１ａは、スピーカ１６の放音孔１６ａが蓋部１１２の孔１６ｂに一致すべく、放音孔１６ａが位置すべき位置を示す。大円３１ｂは、放音孔１６ａが孔１６ｂに一致するときのスピーカ１６の外周が位置すべき位置を示す。
スピーカ１６を制御ボード１５に取り付ける際に、スピーカ１６を大円３１ｂ内に位置させ、さらに、放音孔１６ａを小円３１ａに合わせることにより、スピーカ１６の放音孔１６ａを蓋部１１２の孔１６ｂに一致させることができる。
【００２１】
図６に示すスピーカ取付ガイド３２は、円３２ａと、矢印３２ｂと、２本の短線３２ｃを備える。円３２ａは、スピーカ１６の外周が位置すべき位置を示す。矢印３２ｂは、スピーカ１６の上下を示す。短線３２ｃは、ハーネスの位置を示す。
スピーカ１６を制御ボード１５に取り付ける際に、スピーカ１６を円３２ａ内に位置させ、さらに、ハーネスを短線３２ｃに合わせるか、スピーカ１６の上下を矢印３２ｂに合わせることにより、スピーカ１６の放音孔１６ａを蓋部１１２の孔１６ｂに一致させることができる。
【００２２】
以上のように、スピーカ１６の放音孔１６ａを蓋部１１２の孔１６ｂに一致させることにより、スピーカ１６が放つ音を筐体１１外へ良好に伝達することができる。
【００２３】
図７は、ハンディターミナル１の電気的接続を示すブロック図である。制御部１５１は、制御ボード１５に実装された１または複数の部品により構成されている。制御部１５１は、不図示のＣＰＵと、ＲＡＭと、ＲＯＭやＨＤＤなどの記憶手段とを備え、ＣＰＵが記憶手段に記憶されたプログラムをＲＡＭに読み出して実行することにより、下記各部（表示操作パネル１２、操作パネル１４、およびスピーカ１６）を統括制御する。
【００２４】
制御部１５１には、表示操作パネル１２と、操作パネル１４と、スピーカ１６とが接続されている。制御部１５１は、表示操作パネル１２に対して信号を送信することにより、表示操作パネル１２の画像表示を制御する。また、制御部１５１は、表示操作パネル１２および操作パネル１４を介して操作者の操作を受け付け、操作に応じた動作を行う。
そして、制御部１５１は、スピーカ１６に対して信号を送信することにより、スピーカ１６の放音を制御する。スピーカ１６は、制御部１５１から受信する信号に応じた周波数の音を放つ。
【００２５】
図８は、スピーカ１６の放音特性および実験値を例示するグラフである。実験値を得るにあたって用いたスピーカ１６は、外径１５ｍｍ程度で、上クッションゴム２３は、外径１５ｍｍ、内径１１ｍｍ程度、下クッションゴム２２は、外径９ｍｍ程度、さらに、蓋部１１２の孔１６ｂは、内径１．２〜１．５ｍｍ、長さ０．７ｍｍ程度である。
【００２６】
このグラフの縦軸は音圧、横軸は周波数である。また、このグラフの点線はスピーカ１６の特性であり、他の２線は、組み付け後の実験により得られた値に対応する座標に置いた点をつなげたものである。このグラフの実験値からは、組み付け後のスピーカ１６について次のことが言える。
１、共振により音圧が改善する。
２、接触の仕方によって、音圧の改善具合が異なる（下記２−１、２−２）。
２−１、共鳴効果が大きく現れる場合がある（グラフＡ）。
２−２、スピーカ特性がそのまま大きくなって現れる場合がある（グラフＢ）。
【００２７】
ビープ音について、上記１を踏まえて共振を利用した音圧の改善を図るにあたり、上記２への対応を行う。具体的には、グラフＡおよびＢから、ビープ音に適する４０００ヘルツ（Ｈｚ）前後で音圧がピークとなる周波数（ａおよびｂ）を選び、これらの周波数の音を交互に鳴らす。つまり、制御部１５１は、スピーカ１６を制御して、２種類の周波数の音を交互に鳴らす。
これにより、組み付けのばらつきによって４０００ヘルツ前後のピーク周波数がずれても、スピーカ特性を共振によって改善することができる。つまり、スピーカ１６が鳴らすビープ音の音量を大きくすることができる。
【００２８】
上記構成のハンディターミナル１は、制御部１５１の制御により、表示操作パネル１２に画像を表示し、表示操作パネル１２および操作パネル１４から操作者の操作を受け付け、メロディやビープ音をスピーカ１６により放音する。また、ハンディターミナル１は、ビープ音を鳴らすにあたっては、制御部１５１の制御によりスピーカ１６に２種類の周波数の音を交互に鳴らさせる。
【００２９】
ハンディターミナル１のメンテナンスに際しては、筐体１１の本体部１１１の背面の蓋部１１２を取り外し、制御ボード１５やスピーカ１６を露出させる。このとき、スピーカ１６は、制御ボード１５上にあって、蓋部１１２からは離れている。
【００３０】
以上のように、本実施形態によれば、背面を取り外し可能で制御ボード１５やスピーカ１６を露出させることができるので、メンテナンス性が高い。
【００３１】
また、他の携帯端末機器では、上述の共振の都合の他、スピーカの放音孔と蓋部の孔とを容易に一致させる等のために、スピーカが蓋部に固定されていることがある。この場合、蓋部を取り外す際に、スピーカと制御ボードとをつなぐハーネスを、断線させてしまうおそれがある。このため、メンテナンスが容易でない。
これに対して本実施形態では、スピーカ１６が制御ボード１５側にあるので、蓋部１１２を開けてもハーネスが断線するおそれがない。また、本実施形態では、制御ボード１５へのスピーカ１６の取り付け位置や放音孔の位置を指示する印を制御ボード１５に印刷しているので、スピーカ１６を蓋部１１２側に取り付けなくても、スピーカ１６の取り付け位置の正確性を高めて、放音孔１６ａと蓋部１１２の孔１６ｂとを一致させることができる。
【００３２】
さらに、他の携帯端末機器では、ハーネスを用いず、バネ型接点を用いて、蓋部側のスピーカと制御ボードとの通電を図る構成がある。しかしこの構成では、組み付け誤差による製造トラブルや経年劣化によるバネの弾性低下による接触不良など、ハーネスを用いる構成に比して不都合が起こりやすい。
これに対して本実施形態では、ハーネスによりスピーカ１６と制御ボード１５との通電を行っているので、上記不都合は排除される。
【００３３】
また、本実施形態によれば、スピーカ１６と蓋部１１２との間に上クッションゴム２３を備えたことにより、スピーカ１６の振動を蓋部１１２に伝えるとともに、前方空間Ｓの容積を略一定にすることができる。これにより、共振を利用してビープ音等の音圧を改善し、音量を大きくすることができる。
【００３４】
さらに、本実施形態では、スピーカ１６の両面を上クッションゴム２３および下クッションゴム２２で挟んだので、密閉性を向上させるとともに、高さ方向の取付誤差を吸収することができる。これにより、前方空間Ｓの容積を略一定にすることができ、よって、共振を利用してビープ音等の音圧を改善し、音量を大きくすることができる。
また、スピーカ１６の両面を上クッションゴム２３および下クッションゴム２２で挟んだ構成であることにより、両面テープや接着剤等でスピーカ１６を固定しなかったとしても、スピーカ１６のズレを抑えることができる。
【００３５】
さらに、本実施形態では、上クッションゴム２３よりも下クッションゴム２２の方を低硬度としたので、上クッションゴム２３よりも下クッションゴム２２の方が変形しやすい。このため、蓋部１１２と制御ボード１５との間のスピーカ１６を含む各部材の寸法誤差や取付誤差を、上クッションゴム２３および下クッションゴム２２の変形によって相殺する必要があるとき、上クッションゴム２３よりも下クッションゴム２２をより変形させて、上クッションゴム２３の変形を抑えることができる。よって、前方空間Ｓの容積を略一定にし、これにより、共振を利用してビープ音等の音圧を改善し、音量を大きくすることができる。
また、本実施形態の上クッションゴム２３はリング形状であるので、良好な放音性を得られる。
【００３６】
さらに、本実施形態では、ビープ音として、複数種類の周波数を交互或いは順番に鳴らすようにしたので、組み付けの誤差によって共振周波数にずれが生じても、共振による効果を得やすくすることができる。なお、複数種類の周波数を鳴らす信号を同時にスピーカ１６に入力すると、スピーカ１６の定格を越えてしまうことがあるので、同時によりは交互或いは順番に鳴らすほうが好ましい。
【００３７】
そして、本実施形態では、防水シート２４を備えているので、防水シート２４の共振をも利用して良好な音量のビープ音とすることができる。
【００３８】
なお、本実施形態では、開口部１１ｂは、制御ボード１５の全体を露出させているが、実施にあたっては、開口部１１ｂの大きさは、少なくともメンテナンス等に際してスピーカ１６を露出させるに十分であればよい。
また、本実施形態では、２種類の周波数の音を交互に鳴らしているが、実施にあたっては、２種類に限らず、複数種類の音を順番に鳴らすようにしてもよい。
【００３９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１…ハンディターミナル、
１１…筐体、
１１１…本体部、１１２…蓋部、
１１ａ…ヒンジ、１１ｂ…開口部、
１２…表示操作パネル、
１２ａ…キーシート、
１３…カバー、
１４…操作パネル、
１５…制御ボード、
１５１…制御部、
１６…スピーカ、
１６ａ…放音孔、１６ｂ…孔、
２１…両面テープ、
２２…下クッションゴム、２３…上クッションゴム、
２４…防水シート、
２５…両面テープ、
３１…スピーカ取付ガイド、
３１ａ…小円、３１ｂ…大円、
３２…スピーカ取付ガイド、
３２ａ…円、３２ｂ…矢印、３２ｃ…短線。
【先行技術文献】
【特許文献】
【００４１】
【特許文献１】特開２００７−１９５０１１号公報
【図１】
2014167682.tif 000003
【図２】
2014167682.tif 000004
【図３】
2014167682.tif 000005
【図４】
2014167682.tif 000006
【図５】
2014167682.tif 000007
【図６】
2014167682.tif 000008
【図７】
2014167682.tif 000009
【図８】
2014167682.tif 000010